(57)【要約】【課題】調整戸車のコンパクト化を図るとともに、戸車本体の位置調整を均一化かつ容易化し、引戸の開閉操作に伴う振動などによる戸車本体の位置ズレが生じにくい二次元調整戸車を提供する。【解決手段】外周にピニオン２６が形成されたピニオン部材９を外ケース２に対して回動自在に設けるとともに、前記ピニオン２６と噛合するラック３１が上下方向に沿って形成されたラック部材１０を設け、このラック部材１０と係合し、前記ラック部材１０の上下動に伴って室内外方向へスライドするように構成された室内外方向スライド部材１１を設け、この室内外方向スライド部材１１と戸車本体３とを係合させ、前記ピニオン部材９の回動操作により前記ラック部材１０を上下動させるとともに前記室内外方向スライド部材１１を室内外方向にスライドさせ、前記戸車本体３を室内外方向に位置調整可能とする。【選択図】図４
2009287198.tif 000002
【特許請求の範囲】
【請求項１】
外ケース内に収容された、ローラおよびその保持枠からなる戸車本体が、略上下方向に沿う方向に位置調整を可能とした上下方向調整機構と、前記戸車本体が外ケース内において前記室内外方向にスライド用間隙を有する状態で収容され、室内外方向に位置調整を可能とした室内外方向調整機構とを有する二次元調整戸車において、
前記室内外方向調整機構は、外周にピニオンが形成されたピニオン部材を前記外ケースに対して回動自在に設けるとともに、前記ピニオンと噛合するラックが上下方向に沿って形成されたラック部材を設け、このラック部材と係合し、前記ラック部材の上下動に伴って室内外方向へスライドするように構成された室内外方向スライド部材を設け、この室内外方向スライド部材と戸車本体とを係合させ、前記ピニオン部材の回動操作により前記ラック部材を上下動させるとともに、前記室内外方向スライド部材を室内外方向にスライドさせることにより、前記戸車本体を室内外方向に位置調整可能としたことを特徴とする二次元調整戸車。
【請求項２】
前記上下方向調整機構は、前記戸車本体の保持枠を貫いて外ケースの側壁間に横架された室内外方向配置の支軸によって前記戸車本体を回動可能に支持するとともに、前記保持枠に係合して前記戸車本体を上下方向に位置調整するための上下方向調整板が螺合する上下方向調整ネジを設け、この上下方向調整ネジの回動に伴う前記上下方向調整板の位置調整により前記戸車本体を略上下方向に位置調整可能とした請求項１記載の二次元調整戸車。
【請求項３】
前記ラック部材には上下方向に対して傾斜する傾斜溝が形成される一方、前記室内外方向スライド部材には前記傾斜溝に係合する係合突起が備えられ、かつ前記室内外方向スライド部材が室内外方向にスライド自在に支持された構成とすることによって、前記ピニオン部材の回動操作により前記ラック部材を上下動させるとともに、前記室内外方向スライド部材を室内外方向にスライドさせ、前記戸車本体を室内外方向に位置調整可能とした請求項１、２いずれかに記載の二次元調整戸車。
【請求項４】
前記室内外方向スライド部材に室内外方向に貫く貫通孔を形成するとともに、前記保持枠に室内外方向スライド部材を係合させた状態で、これら保持枠及び室内外方向スライド部材を貫いて前記支軸を外ケースの側壁間に横架することによって、前記室内外方向スライド部材が室内外方向にスライド自在に支持されるとともに、前記室内外方向スライド部材と戸車本体とが係合されている請求項１〜３いずれかに記載の二次元調整戸車。
【請求項５】
前記室内外方向スライド部材には、前記係合突起が一体的に形成されている請求項４記載の二次元調整戸車。
【請求項６】
前記ラック部材と室内外方向スライド部材とが隣接配置されている請求項４，５いずれかに記載の二次元調整戸車。
【請求項７】
前記ラック部材と前記戸車本体との間に、前記外ケースから延在する仕切壁を形成するとともに、この仕切壁を室内外方向に亘ってスライド溝が形成され、このスライド溝に前記室内外方向スライド部材がスライド自在に嵌合されることによって前記室内外方向スライド部材が室内外方向にスライド自在に支持され、
前記室内外方向スライド部材から係合軸が突出して備えられるとともに、前記保持枠に前記係合軸が係合する係合孔が形成され、前記係合軸が前記係合孔に係合されることによって前記室内外方向スライド部材と戸車本体とが係合されている請求項１〜３いずれかに記載の二次元調整戸車。
【請求項８】
前記室内外方向スライド部材は、板厚方向を貫く貫通孔が形成された板状体と、この貫通孔に挿入され、両面に突出してそれぞれ前記係合突起および係合軸を形成する連結軸とから構成されている請求項７記載の二次元調整戸車。
【請求項９】
前記ピニオン部材には、ピニオン部材の回動操作によって前記ラック部材のラックと噛合する所定範囲の外周にピニオンが形成されている請求項１〜８いずれかに記載の二次元調整戸車。
【発明の詳細な説明】
【技術分野】
【０００１】
本発明は、たとえば引き違い障子等において、障子を円滑に開閉できるように、上下方向調整機構および室内外方向調整機構を同時に兼ね備えた二次元調整戸車に関する。
【背景技術】
【０００２】
従来より、片引き・引き違い形式の戸または障子等に対しては、開閉時の滑り抵抗を軽減し開閉操作を円滑化するために、その下端面に対して戸車が設けられている。
【０００３】
かかる戸車に関しては、従来より建付け後に戸または障子等を上下方向及び室内外方向に調整し得るようにしたものが提案されている。具体的には、外ケース内に収容された、ローラおよびその保持枠からなる戸車本体が、略上下方向に沿う方向に位置調整可能に支持されているとともに、前記ケース内において室内外方向にスライド用間隙を有する状態で収容され室内外方向にも位置調整可能に支持された構造を有している。
【０００４】
ここで、上下方向の位置調整は、戸車本体の保持枠を貫いて外ケースの側壁間に横架された室内外方向配置の支軸によって前記戸車本体を回動可能に支持するとともに、前記保持枠に係合して前記戸車本体を上下方向に位置調整するための上下方向調整板が螺合する上下方向調整ネジを設け、この上下方向調整ネジの回動に伴う前記上下方向調整板の位置調整により前記戸車本体を略上下方向に位置調整可能としたものが一般的であるのに対して、室内外方向の位置調整は、以下のように種々のものが提案されている。
【０００５】
例えば、下記特許文献１、２では、外ケースの内部に、調整ネジによって室内外方向又は障子の側端面側にスライド自在とした可動枠又は外枠が収容され、この可動枠又は外枠のスライド操作によって戸車本体を室内外方向に位置調整可能としている。具体的に下記特許文献１では、取付枠（外ケース）に可動枠が嵌装され、斜状のガイド溝とガイド突部とが噛合い、可動枠に固定された座板と取付枠とに螺着させた見込調整ビスによって可動枠を前後左右に移動して見込み調整が行われるようになっている。また下記特許文献２では、操作板に設けた横カム溝と、外枠に固定したピンとからなるカム機構を備え、横調整ねじで操作板を前後スライド操作することによって、操作板の前後動作が前記カム機構で左右動作に変換されるようになっている。
【０００６】
また、下記特許文献３〜７では、室内外方向調整部材の回転中心軸から偏心した位置に突起を設けるか、あるいは戸車本体に突起を設け、この突起によって戸車本体と室内外方向調整部材とを係合させ、室内外方向調整部材の回転調整により戸車本体を室内外方向に位置調整可能としている。具体的に下記特許文献３〜５では、頭部の軸線から偏心した偏心軸が設けられた回動部材と、この偏心軸が係合し基軸に支持された車輪ホルダ（戸車本体）とから構成され、下記特許文献６では、嵌挿孔に回動可能に嵌挿され、偏心する係合凹部を有する前後調整手段と、前記係合凹部に係合する係止突部が設けられた位置調整体（戸車本体）とから構成され、さらに下記特許文献７では、内側の大径部の裏面側に直径方向の係合溝が形成された段付き回転体と、この段付き回転体の上下方向に偏心した位置に突設され且つ前記係合溝に嵌合するピンが備えられた横動体（戸車本体）とから構成されている。そして下記特許文献３〜７記載の戸車はいずれも、前記回動部材、前後調整手段又は段付き回転体を回動操作することによって、これと係合する戸車本体の室内外方向の位置調整が行われるようになっている。
【０００７】
他方、下記特許文献８、９では、戸車本体又は外ケースにラックが形成されるとともに、このラックと噛合し戸車本体の室内外方向位置を調整するピニオンが備えられ、前記ピニオンをラックに沿って回転調整することによって、戸車本体を室内外方向に移動可能としている。具体的に下記特許文献８では、本体ケース内に幅方向に移動可能に嵌挿した幅方向移動ケースと、この幅方向移動ケースに形成したラックと噛合し、幅方向移動ケースの幅方向位置を調整する幅方向調整ピニオンとを有する構成とされている。下記特許文献９では、ケースの内部に車輪を遊転自在に支持する車輪枠（戸車本体）を設けるとともに、前記ケースに形成したラック歯と、このラック歯に噛み合うギヤ歯を備えた調整ピースと、調整ピースの動作を車輪枠に伝える連動軸とからなる左右調整機構を設け、前記調整ピースをラック歯に沿って回転操作することにより車輪枠を連動軸で左右方向に移動して車輪の位置調整が行われるようになっている。
【特許文献１】特許第３２５０９４９号公報
【特許文献２】特開平１０−２２７１７０号公報
【特許文献３】特許第３００１１７９号公報
【特許文献４】特許第３１７２７１６号公報
【特許文献５】特開平９−１２５７９９号公報
【特許文献６】特許第３５９７７１７号公報
【特許文献７】実用新案登録第３０５８６４７号公報
【特許文献８】特許第３４２０５５７号公報
【特許文献９】特開２００６−７０６０９号公報
【発明の開示】
【発明が解決しようとする課題】
【０００８】
しかしながら、上記特許文献１、２記載の戸車では、それぞれ可動枠又は操作板を水平方向にスライドさせることによって戸車本体を室内外方向又は障子の側端面方向に移動させるようにしているため、前記可動枠又は操作板を水平方向にスライドさせるためのスライド用間隙を障子の側端面方向にも確保しておかなければならないため、戸車が大型化し、従来の戸車の組込みスペースに納まらないという問題が生じていた。
【０００９】
また、上記特許文献３〜７記載の戸車では、室内外方向調整部材の回転中心軸から偏心した位置に設けられた突起を戸車本体に係合させることにより戸車本体を室内外方向に移動させるようにしている。このため、回動部材等の回転量に対する戸車本体の室内外方向移動量は、その機構上、室内外方向の中間位置では大きく、両端位置では小さくなるものである。したがって、位置調整を均一に行うことができなかった。
【００１０】
一方、上記特許文献８、９記載の戸車は、いわゆるラック＆ピニオン方式によって戸車本体を室内外方向に移動させるものである。ここで、上記特許文献８記載の戸車では、幅方向調整ピニオンの後端側にピニオンが形成されるとともに、幅方向移動ケースの移動方向である室内外方向（幅方向）に沿ってラックが形成され、これらピニオンとラックとが噛合するように構成されているため、幅方向移動ケースの移動方向である室内外方向（幅方向）への突発的な負荷や長期的な微振動が加わると、これらの荷重が直接噛合部分に負荷され、戸車本体の位置ズレが生じやすかった。また、室内外方向の位置調整の際には、調整ピニオンの回転量がそのままラックの室内外方向の移動量となるため、微調整が難しいという問題もあった。なおこれらの問題は、上記特許文献９記載の調整ピースをラック歯に沿って回転操作することにより車輪枠を連動軸で左右方向に移動して車輪の位置調整を行うように構成した戸車にも同様に生じ得る。
【００１１】
そこで本発明の主たる課題は、調整戸車のコンパクト化を図るとともに、戸車本体の位置調整を均一化かつ容易化し、引戸の開閉操作に伴う振動などによる戸車本体の位置ズレが生じ難い二次元調整戸車を提供することにある。
【課題を解決するための手段】
【００１２】
前記課題を解決するために請求項１に係る本発明として、外ケース内に収容された、ローラおよびその保持枠からなる戸車本体が、略上下方向に沿う方向に位置調整を可能とした上下方向調整機構と、前記戸車本体が外ケース内において前記室内外方向にスライド用間隙を有する状態で収容され、室内外方向に位置調整を可能とした室内外方向調整機構とを有する二次元調整戸車において、
前記室内外方向調整機構は、外周にピニオンが形成されたピニオン部材を前記外ケースに対して回動自在に設けるとともに、前記ピニオンと噛合するラックが上下方向に沿って形成されたラック部材を設け、このラック部材と係合し、前記ラック部材の上下動に伴って室内外方向へスライドするように構成された室内外方向スライド部材を設け、この室内外方向スライド部材と戸車本体とを係合させ、前記ピニオン部材の回動操作により前記ラック部材を上下動させるとともに、前記室内外方向スライド部材を室内外方向にスライドさせることにより、前記戸車本体を室内外方向に位置調整可能としたことを特徴とする二次元調整戸車が提供される。
【００１３】
上記請求項１記載の発明は、戸車本体を室内外方向に位置調整するための構成に特徴を有するものである。具体的に上記請求項１記載の発明は、主として、外周にピニオンが形成されたピニオン部材を前記外ケースに対して回動自在に設けるとともに、前記ピニオンと噛合するラックが上下方向に沿って形成されたラック部材を設け、このラック部材と係合し、前記ラック部材の上下動に伴って室内外方向へスライドするように構成された室内外方向スライド部材を設けることによって構成されている。そして、この室内外方向スライド部材と戸車本体とを係合させ、前記ピニオン部材の回動操作により前記ラック部材を上下動させるとともに、前記室内外方向スライド部材を室内外方向にスライドさせることによって、前記戸車本体を室内外方向に位置調整可能としている。
【００１４】
このように、本発明では、ピニオン部材のピニオンと噛合するラックを上下方向に沿って形成したラック部材を設け、前記ピニオン部材の回動操作によるラック部材の上下動を前記スライド部材の室内外方向へのスライドに変換して戸車本体を室内外方向に位置調整可能としているため、従来の戸車のように水平方向へのスライド用間隙を確保する必要が無く、戸車をコンパクト化することができ、従来の組込みスペースにも納まるようになる。
【００１５】
また、戸車本体を室内外方向に移動させるのに、ラック部材を上下動させるようにしているため、戸車本体の移動方向である室内外方向に荷重が負荷されてもラック部材とピニオン部材との噛合部分に直接荷重が伝達されず、戸車本体の位置ズレが生じにくい構造とすることができる。
【００１６】
請求項２に係る本発明として、前記上下方向調整機構は、前記戸車本体の保持枠を貫いて外ケースの側壁間に横架された室内外方向配置の支軸によって前記戸車本体を回動可能に支持するとともに、前記保持枠に係合して前記戸車本体を上下方向に位置調整するための上下方向調整板が螺合する上下方向調整ネジを設け、この上下方向調整ネジの回動に伴う前記上下方向調整板の位置調整により前記戸車本体を略上下方向に位置調整可能とした請求項１記載の二次元調整戸車が提供される。
【００１７】
上記請求項２記載の発明は、上下方向調整機構の具体的構造を規定したものである。
【００１８】
請求項３に係る本発明として、前記ラック部材には上下方向に対して傾斜する傾斜溝が形成される一方、前記室内外方向スライド部材には前記傾斜溝に係合する係合突起が備えられ、かつ前記室内外方向スライド部材が室内外方向にスライド自在に支持された構成とすることによって、前記ピニオン部材の回動操作により前記ラック部材を上下動させるとともに、前記室内外方向スライド部材を室内外方向にスライドさせ、前記戸車本体を室内外方向に位置調整可能とした請求項１、２いずれかに記載の二次元調整戸車が提供される。
【００１９】
上記請求項３記載の発明は、ラック部材の上下動に伴って室内外方向スライド部材が室内外方向へスライドする具体的な構成を規定したものであり、ラック部材に上下方向に対して傾斜する傾斜溝を形成する一方、前記室内外方向スライド部材に前記傾斜溝に係合する係合突起を備え、かつ前記室内外方向スライド部材を室内外方向にスライド自在に支持した構成としたものである。
【００２０】
このように、室内外方向スライド部材は、ラック部材の上下方向に対して傾斜して形成される傾斜溝に係合突起を係合させ、ラック部材の上下動に伴う傾斜溝の室内外方向の位置変化によって、室内外方向にスライドする構造となっているため、ピニオン部材の回動に伴うスライド部材の上下方向の移動量と、室内外方向スライド部材の室内外方向スライド量とが、ピニオン部材の回転位置に関係なく、常に線形の関係にあり、従来のように回転中心から偏心した突起の回転位置によって戸車本体の移動量が変動することがなくなり、戸車本体の室内外方向位置を均一かつ容易に調整することができるようになる。
【００２１】
加えて、ラック部材には上下方向に対して傾斜する傾斜溝が形成され、この傾斜溝に沿って室内外方向スライド部材が室内外方向にスライドするように構成されているため、従来の戸車のようにピニオン部材の回転量がそのまま戸車本体の移動量となるのではなく、傾斜溝の傾斜角に応じた移動量となるため、室内外方向の微調整が可能となる。
【００２２】
請求項４に係る本発明として、前記室内外方向スライド部材に室内外方向に貫く貫通孔を形成するとともに、前記保持枠に室内外方向スライド部材を係合させた状態で、これら保持枠及び室内外方向スライド部材を貫いて前記支軸を外ケースの側壁間に横架することによって、前記室内外方向スライド部材が室内外方向にスライド自在に支持されるとともに、前記室内外方向スライド部材と戸車本体とが係合されている請求項１〜３いずれかに記載の二次元調整戸車が提供される。
【００２３】
上記請求項４記載の発明は、第１形態例に係る二次元調整戸車の構成を具体的に規定したものであり、室内外方向スライド部材の支持機構と戸車本体との係合構造に特徴を有するものである。
【００２４】
請求項５に係る本発明として、前記室内外方向スライド部材には、前記係合突起が一体的に形成されている請求項４記載の二次元調整戸車が提供される。
【００２５】
上記請求項５記載の発明では、室内外方向スライド部材に前記係合突起を一体的に形成することにより、コンパクト化を図ることができるとともに、部品点数が少なくなり組立てを容易化することができるようになる。
【００２６】
請求項６に係る本発明として、前記ラック部材と室内外方向スライド部材とが隣接配置されている請求項４，５いずれかに記載の二次元調整戸車が提供される。
【００２７】
上記請求項６記載の発明は、調整戸車のコンパクト化を図るため、前記ラック部材と室内外方向スライド部材とを隣接配置するようにしたものである。
【００２８】
請求項７に係る本発明として、前記ラック部材と前記戸車本体との間に、前記外ケースから延在する仕切壁を形成するとともに、この仕切壁を室内外方向に亘ってスライド溝が形成され、このスライド溝に前記室内外方向スライド部材がスライド自在に嵌合されることによって前記室内外方向スライド部材が室内外方向にスライド自在に支持され、
前記室内外方向スライド部材から係合軸が突出して備えられるとともに、前記保持枠に前記係合軸が係合する係合孔が形成され、前記係合軸が前記係合孔に係合されることによって前記室内外方向スライド部材と戸車本体とが係合されている請求項１〜３いずれかに記載の二次元調整戸車が提供される。
【００２９】
上記請求項７記載の発明は、第２形態例に係る二次元調整戸車であり、上記第１形態例と同様に、室内外方向スライド部材の支持機構と戸車本体との係合構造に特徴を有するものである。具体的には、室内外方向スライド部材の支持構造として、前記ラック部材と前記戸車本体との間に、前記外ケースから延在する仕切壁を形成するとともに、この仕切壁を室内外方向に亘ってスライド溝が形成され、このスライド溝に前記室内外方向スライド部材をスライド自在に嵌合した構成とし、室内外方向スライド部材と戸車本体との係合構造として、前記室内外方向スライド部材から係合軸が突出して備えられるとともに、前記保持枠に前記係合軸が係合する係合孔が形成され、前記係合軸が前記係合孔に係合される構成とした。このように外ケースから延在する仕切壁を形成することにより、調整戸車の強度を高めることができるようになる。
【００３０】
請求項８に係る本発明として、前記室内外方向スライド部材は、板厚方向を貫く貫通孔が形成された板状体と、この貫通孔に挿入され、両面に突出してそれぞれ前記係合突起および係合軸を形成する連結軸とから構成されている請求項７記載の二次元調整戸車が提供される。
【００３１】
上記請求項８記載の発明は、前述の第２形態例に係る二次元調整戸車に好適に使用される室内外方向スライド部材を規定したものであり、貫通孔が形成された板状体に連結軸を嵌合した構成とすることにより、室内外方向スライド部材の構造および製造工程を簡略化できる。
【００３２】
請求項９に係る本発明として、前記ピニオン部材には、ピニオン部材の回動操作によって前記ラック部材のラックと噛合する所定範囲の外周にピニオンが形成されている請求項１〜８いずれかに記載の二次元調整戸車が提供される。
【００３３】
上記請求項９記載の発明は、ピニオン部材の外周に形成するピニオンを、ラック部材のラックと噛合する所定範囲にのみ設けたものであり、これによってピニオン部材の構造を簡略化でき、製造コストを低減することもできるようになる。
【発明の効果】
【００３４】
以上詳説のとおり本発明によれば、調整戸車のコンパクト化が図れるとともに、戸車本体の位置調整が均一化かつ容易化し、引戸の開閉操作に伴う振動などによる戸車本体の位置ズレが生じ難い二次元調整戸車を提供できる。
【発明を実施するための最良の形態】
【００３５】
以下、本発明の実施の形態について図面を参照しながら詳述する。
〔第１形態例〕
図１は本発明に係る二次元調整戸車１の斜視図、図２は側面図、図３は底面図、図４は分解図である。
【００３６】
本発明に係る二次元調整戸車１（以下、単に調整戸車という。）は、主に外ケース２と、ローラ５およびローラ保持枠４とからなる戸車本体３と、前記戸車本体３を外ケース２に対して回動可能に支持する支軸６と、前記ローラ保持枠４に係合して前記戸車本体３を上下方向に位置調整するための上下方向調整板７と、この上下方向調整板７と螺合して上下調整を行うための上下方向調整ネジ８と、外周にピニオン２６が形成され、前記外ケース２に対して回動自在に設けられるピニオン部材９と、前記ピニオン部材９のピニオン２６と噛合するラック３１が上下方向に沿って形成されたラック部材１０と、このラック部材１０と係合するとともに、前記戸車本体３と係合し、前記ラック部材１０の上下動に伴って室内外方向にスライドし、前記戸車本体３を室内外方向に位置調整するための室内外方向スライド部材１１とにより構成される。
【００３７】
より具体的には、前記ラック部材１０には、図９(A)及び図１０に示されるように、上下方向に対して傾斜する傾斜溝３３が形成される一方、前記室内外方向スライド部材１１には前記傾斜溝３３に係合する係合突起３７が備えられ、かつ前記室内外方向スライド部材が室内外方向にスライド自在に支持された構成とするとともに、戸車本体３と係合させることにより、前記ピニオン部材９の回動操作により前記ラック部材１０を上下動させるとともに、前記室内外方向スライド部材１１を室内外方向にスライドさせ、前記戸車本体３を室内外方向に位置調整可能としている。
【００３８】
前記外ケース２は、詳細には図５及び図６に示されるように、ポリアミド等の樹脂により製造された型成形品であり、下側に開口する戸車本体３収容のための内空部２ａを有し、障子の側端面側（以下、障子端側という。）の側壁部に上下方向調整ネジ８の設置部、およびピニオン部材９の設置部を有する。また、室内外方向に対面する両側壁には戸車本体３を回動支持する支軸６のための保持孔２０、２０が形成され、障子端側の上部には障子への取付けのためのビス穴２１が形成されている。
【００３９】
さらに詳述すると、外ケース２の障子端側の側壁中間位置には上下方向調整ネジ８の取付け孔２２が形成されている。この取付け孔２２の中間には、前記上下方向調整ネジ８と螺合される上下方向調整板７が上下方向調整ネジ８に沿って螺進退するための上下方向調整板移動空間２３が、前記外ケース２の内空部２ａに連続して形成されている。また、外ケース２の障子端側の側壁において、前記取付け孔２２の下方位置には、ピニオン部材９の取付け孔２４が形成されている。この取付け孔２４には、ピニオン部材９の頭部２５が、外ケース２の内空部２ａ側から嵌合され、ピニオン部材９が外ケース２に対して回動自在に設けられている。
【００４０】
一方、前記ピニオン部材９は、図７及び図８に示されるように、外ケース２の前記取付け孔２４に対して嵌合する嵌合頭部２５と、外周の所定範囲にピニオン２６が形成される胴部２７と、前記ラック部材１０に設けられる上下方向に長い長溝３２に係合する突起部２８とから構成されている。前記ピニオン２６は、図７、図８に示される例では、ピニオン部材９の回動操作によって前記ラック部材１０のラック３１と噛合する所定範囲の外周にのみ形成されている。これに対して、後述の第２形態例（図２１）に示されるように、胴部２７の全周に亘って設けられるようにしてもよい。
【００４１】
前記ラック部材１０は、図９及び図１０に示されるように、ポリアミド等の樹脂により製造された型成形品であり、外形が略直方体のブロック体とされている。対向する一方の面には、図９(C)に示されるように、中央部に凹領域３０が設けられるとともに、その長辺の一方にはラック部材１０の上下方向に沿ってラック３１が形成されている。この凹領域３０の略中央部には、上下方向に沿って長い長溝３２が形成されている。この長溝３２には前記ピニオン部材９の突起部２８が係合して、ラック部材１０がスムーズに上下方向にスライドできるようになっている。
【００４２】
これと対向する他方の面には、図９(A)及び図１０に示されるように、上下方向に対して傾斜する傾斜溝３３が形成されている。この傾斜溝３３は、後述する室内外方向スライド部材１１の係合突起３７が係合して、ラック部材１０の上下動に伴って室内外方向スライド部材１１を室内外方向にスライドさせるためのものである。
【００４３】
前記室内外方向スライド部材１１は、図１１に示されるように、ブロック状の部材本体３５と、この部材本体３５の下方に形成され室内外方向に貫く貫通孔３６と、部材本体３５の障子端側の側面中央に突出する係合突起３７と、この係合突起３７が設けられた障子端側の部材本体３５から上部に延在する延在壁３８とから構成されている。かかる室内外方向スライド部材１１は、図２に示されるように、ローラ保持枠４と係合するとともに貫通孔３６に支軸６が挿通することにより、上下動が拘束され室内外方向にのみスライド自在に支持されている。一方前記係合突起３７は、ラック部材１０の傾斜溝３３に係合され、ラック部材１０の上下動に伴って室内外方向スライド部材１１を室内外方向にスライドさせるためのものである。また前記延在壁３８が外ケース２の内空部２ａ上面から垂下する垂下壁２９（図５参照）に係止されることにより、室内外方向スライド部材１１は支軸６回りの回転が不能とされている。前記室内外方向スライド部材１１は、図２に示されるように、外ケース２内に組み込んだ状態で、前記ラック部材１０と隣接配置されている。
【００４４】
ここで、前記延在壁３８の上面に凸状部３８ａを設けるとともに、外ケース２の内空部２ａの上面に前記凸状部３８ａと係合する凹状部３８ｂを室内外方向に沿って複数設けることにより、前記室内外方向スライド部材１１を室内外方向に段階的に固定保持するようにすることが好ましい。図示例では、前記凹状部３８ｂは、室内外方向に沿った波状に形成されている。
【００４５】
前記戸車本体３は、図４および図１２に示されるように、ローラ５と、このローラ５を回転軸１２により回転自在に支持するローラ保持枠４とからなる。前記ローラ保持枠４は、金属板の成形により略断面コ字状に加工された部材であり、その対峙する両壁面は、前記室内外方向スライド部材１１が係合できる程度に離隔している。この対峙する両壁面の下方には、回転軸１２が挿通するための通孔４ａと、支軸６が挿通するための通孔４ｂとが形成されている。また対峙する両壁面の上部およびこれら両壁面に架設される天板面の一部を切り欠いて、前記上下方向調整板７を係合するための切欠部４ｃが形成されている。
【００４６】
外ケース２に対する組込みは、図４に示されるように、上下方向調整板７を上下方向調整板移動空間２３に装入した状態で、上下方向調整ネジ８を取付け孔２２から挿入して上下方向調整板７のネジ孔７ａに螺合し、対峙する障子端側の側壁面で先端をカシメて固定する。一方、ラック部材１０のラック３１とピニオン部材９のピニオン２６とを噛合させるとともに、ラック部材１０の傾斜溝３３に室内外方向スライド部材１１の係合突起３７を係合させた状態として、これらピニオン部材９、ラック部材１０および室内外方向スライド部材１１を外ケース２の内空部２ａに装入し、ピニオン部材９の嵌合頭部２５を外ケース２の取付け孔２４に嵌合する。また、ローラ保持枠４にローラ５を回転軸１２により支持して戸車本体３とした上で、この戸車本体３を外ケース２内に装入し、前記上下方向調整板７をローラ保持枠４の切欠部４ｃに係合させるとともに、ローラ保持枠４の対峙する両壁面の間に室内外方向スライド部材１１を係合させ、外ケース２の側部から支軸６をローラ保持枠４の通孔４ｂおよび室内外方向スライド部材１１の貫通孔３６を通して挿通し、対峙面側で先端をカシメて固定する。組込み状態では、戸車本体３は、図３に示されるように、外ケース２との間にスライド用間隙Ｈ１、Ｈ２を有する状態で外ケース２内に収容され、外ケース２内に横架される前記支軸６をスライド軸として室内外方向に移動自在となっている。
【００４７】
かかる調整戸車１を障子下面の凹部に装着した状態で、障子の上下方向調整を行う場合には、上下方向調整ネジ８をネジ回し等の工具を用いて左右方向の一方に回転させて戸車本体３の上下方向位置を調整する。前記上下方向調整ネジ８は上下方向調整板７に螺入されてあり、上下方向調整ネジ８を左方向に回転させると上下方向調整板７は螺進し戸車本体３を支軸６回りに回転させ、戸車本体３が略下方向に沿う方向に移動できるようになっている。そして、図１３に示すように、戸車本体３が下方に下がれば、相対的に障子が上方に移動する。また、前記上下方向調整ネジ８を右方向に回転させると、逆に戸車本体３が外ケース２内に潜り込むように回動するため障子が下方に移動される。
【００４８】
また、室内外方向調整を行う場合には、ピニオン部材９を左右方向の一方に回転させて行う。図１４(B)に示されるように、戸車本体３が室内外方向の中央に位置する状態から、ピニオン部材９を左方向に回転させると、同図(A)に示されるように、このピニオン部材９と噛合するラック部材１０が上方に移動すると同時に、そのラック部材１０に形成された傾斜溝３３と係合する係合突起３７を介して室内外方向スライド部材１１が室内外方向にスライドすることによって、この室内外方向スライド部材１１に係合する戸車本体３を位置調整可能としている。なお図示例では、ピニオン部材９を左方向に回転させると向かって左側の室内外方向に前記スライド用間隙Ｈ１だけ移動されるように設定されているため、障子が向かって右側の室内外方向に移動される。また、同図(B)に示される中央位置からピニオン部材９を右方向に回転させると、同図(C)に示されるように、逆に戸車本体３が向かって右側の室内外方向に前記スライド用間隙Ｈ２だけ移動されるように設定されているため、障子が向かって左側の室内外方向に移動される。
【００４９】
なお、外ケース２の障子端側には、図１にも示されるように、上下方向調整の調整方向表示、および室内外方向の中央位置を示す表示が刻印されており調整方向を間違えずに行えるようにしてある。
【００５０】
〔第２形態例〕
図１５は本発明の第２形態例に係る二次元調整戸車１’の断面斜視図、図１６は側面図、図１７は底面図、図１８は分解図である。以下、第１例と同一機能のものについては前記第１例と同じ符号を付し説明は省略する。
【００５１】
本第２形態例に係る調整戸車１’は、主に第１外ケース２Ａおよび第２外ケース２Ｂとからなる外ケース２’と、ローラ５およびローラ保持枠４’からなる戸車本体３’と、前記戸車本体３’を第１外ケース２Ａに対して回動可能に支持する支軸６と、前記ローラ保持枠４’に係合して前記戸車本体３’を上下方向に位置調整するための上下方向調整板７と、この上下方向調整板７と螺合して前後進調整を行うための上下方向調整ネジ８と、外周にピニオンが形成され、前記第２外ケース２Ｂに対して回動自在に設けられるピニオン部材９’と、前記ピニオン部材９’のピニオンと噛合するラックが上下方向に沿って形成されたラック部材１０と、このラック部材１０と係合するとともに、前記戸車本体３’と係合し、前記ラック部材１０の上下動に伴って室内外方向にスライドし、前記戸車本体３’を室内外方向に位置調整するための室内外方向スライド部材１１’とにより構成される。
【００５２】
本第２形態例に係る調整戸車１’は、上記第１形態例に係る調整戸車１と比較すると、前記ラック部材１０と戸車本体３’との間に、前記第２外ケースから外ケース内に延在する仕切壁５４が形成されるとともに、この仕切壁５４の室内外方向に亘ってスライド溝５５が形成され、このスライド溝５５に前記室内外方向スライド部材１１’がスライド自在に嵌合されることによって、前記室内外方向スライド部材１１’が室内外方向にスライド自在に支持されている点と、室内外方向スライド部材１１’から係合軸６３が突出して備えられるとともに、前記ローラ保持枠４’に前記係合軸６３と係合する係合孔６４が形成されることによって、前記ローラ保持枠４’と室内外方向スライド部材１１’とが係合されている点とが相違する。
【００５３】
以下、第１形態例と異なる構成部分を中心に詳述する。
【００５４】
前記第１外ケース２Ａは、図１９に示されるように、金属板の成形により略断面コ字状に加工された部材であり、前記第２外ケース２Ｂは、図２０に示されるように、樹脂により略Ｌ字状に成形された型成形品である。そして、図１８に示されるように、第１外ケース２Ａに第２外ケース２Ｂを嵌装することにより外ケース２’が構成されている。
【００５５】
図１９に示されるように、前記第１外ケース２Ａの対峙する両壁面には、上下方向調整板７を挿入するとともに、該上下方向調整板７の両側部が係合してその螺進退範囲を制限するための窓５０、５０が形成されるとともに、前記第２外ケース２Ｂとの嵌装の際に該第２外ケース２Ｂの両側に突起する位置合わせ用凸部５３、５３と係合する位置合わせ用孔５１、５１が形成されている。また、対峙する両壁面の自由端側の端縁には、前記第２外ケース２Ｂの障子端側の側壁部の両端を係合保持するための、折曲げ加工された係止爪５２、５２が形成されている。
【００５６】
前記第２外ケース２Ｂは、図２０に示されるように、障子端側の側壁の内側に平行して仕切壁５４が形成されるとともに、この仕切壁５４の室内外方向に亘って前記側壁側から凹んだスライド溝５５が形成されている。また、このスライド溝５５の障子端側面には前記室内外方向スライド部材１１’の係合軸６３が挿通して室内外方向にスライド可能な長孔５６が形成されている。
【００５７】
前記ピニオン部材９’は、第１形態例のピニオン部材９と比較すると、図２１に示されるように、ピニオンが外周に亘って形成されている点で相違する。なお、本第２形態例においても、上記第１形態例と同様にラックと噛合する所定範囲の外周にのみピニオンが形成されるようにしても良い。
【００５８】
前記室内外方向スライド部材１１’は、図１８および図２２に示されるように、板厚方向を貫く貫通孔６１が形成された板状体６０と、この貫通孔６１に挿入される連結軸６２とから構成され、前記連結軸６２の両端が板状体６０の両面に突出して、それぞれ前記係合突起３７および係合軸６３が形成されるようになっている。
【００５９】
前記戸車本体３’は、第１形態例の戸車本体３と比較すると、室内外方向スライド部材１１’との係合構造が相違する。すなわち、図２３に示されるように、ローラ保持枠４’の障子端側に前記係合軸６３が係合するための係合孔６４が設けられている。
【００６０】
かかる調整戸車１’の組込みは、図１８に示されるように、第１外ケース２Ａに第２外ケース２Ｂを嵌装して外ケース２’とするとともに、上下方向調整板７を窓５０から装入した状態で、上下方向調整ネジ８を取付け孔２２から挿入して上下方向調整板７に形成されたネジ孔７ａに螺合し、対峙する障子端側の側壁面で先端をカシメて固定する。一方、板状体６０の貫通孔６１に連結軸６２を挿入して室内外方向スライド部材１１’とした上で、ラック部材１０のラック３１とピニオン部材９’のピニオン２６’とを噛合させるとともに、ラック部材１０の傾斜溝３３に室内外方向スライド部材１１’の係合突起３７を係合させた状態として、これらピニオン部材９’、ラック部材１０および室内外方向スライド部材１１’を第２外ケース２Ｂの障子端側の側壁面と仕切壁５４との間に装入し、ピニオン部材９’の嵌合頭部２５を第２外ケース２Ｂの取付け孔２４に嵌合すると同時に、室内外方向スライド部材１１’の板状体６０をスライド溝５５に係合させ、長孔５６から係合軸６３を突出させる。そして、ローラ保持枠４’にローラ５を回転軸１２により支持して戸車本体３’とした上で、この戸車本体３’を外ケース２’内に装入し、前記上下方向調整板７をローラ保持枠４’の切欠部４ｃに係合させるとともに、ローラ保持枠４’の係合孔６４に前記係合軸６３を係合させる。
【００６１】
かかる調整戸車１’を障子下面の凹部に装着した状態で、室内外方向調整を行う場合には、ピニオン部材９’を左右方向の一方に回転させて行う。図２４(B)に示されるように、戸車本体３’が室内外方向の中央に位置する状態から、ピニオン部材９’を左方向に回転させると、同図(A)に示されるように、このピニオン部材９’と噛合するラック部材１０が上方に移動すると同時に、そのラック部材１０に形成された傾斜溝３３と係合する係合突起３７を介して室内外方向スライド部材１１’が室内外方向にスライドする。この室内外方向スライド部材１１’のスライドによって、係合軸６３と係合孔６４で係合する戸車本体３’を位置調整可能としている。
【図面の簡単な説明】
【００６２】
【図１】本発明の第１形態例に係る調整戸車１の斜視図である。
【図２】その側面図である。
【図３】その底面図である。
【図４】その分解図である。
【図５】外ケース２を示す、(A)は縦断面図、(B)は(A)のB-B線矢視図、(C)は底面図である。
【図６】外ケース２の縦断面斜視図である。
【図７】ピニオン部材９を示す、(A)は背面図、(B)は側面図、(C)は正面図である。
【図８】ピニオン部材９の背面側斜視図である。
【図９】ラック部材１０を示す、(A)は背面図、(B)は側面図、(C)は正面図である。
【図１０】ラック部材１０の背面側斜視図である。
【図１１】室内外方向スライド部材１１を示す(A)は上面図、(B)は側面図、(C)は正面図である。
【図１２】ローラ保持枠４を示す、(A)は上面図、(B)は側面図、(C)は正面図である。
【図１３】上下方向位置調整要領を示す調整戸車１の側面図である。
【図１４】(A)〜(C)は室内外方向位置調整要領を示す調整戸車１の正面図である。
【図１５】本発明の第２形態例に係る調整戸車１’の断面斜視図である。
【図１６】その側面図である。
【図１７】その底面図である。
【図１８】その分解図である。
【図１９】第１外ケース２Ａを示す、(A)は上面図、(B)は側面図、(C)は正面図である。
【図２０】第２ケース２Ｂを示す、(A)は側面図、(B)は(A)のB-B線矢視図である。
【図２１】ピニオン部材９’の背面側斜視図である。
【図２２】室内外方向スライド部材１１’の斜視図である。
【図２３】ローラ保持枠４’を示す、(A)は側面図、(B)は正面図である。
【図２４】(A)〜(C)は室内外方向位置調整要領を示す調整戸車１’の正面図である。
【符号の説明】
【００６３】
１・１’…調整戸車、２・２’…外ケース、３・３’…戸車本体、４・４’…ローラ保持枠、５…ローラ、６…支軸、７…上下方向調整板、８…上下方向調整ネジ、９・９’…ピニオン部材、１０…ラック部材、１１・１１’…室内外方向スライド部材
【図１】
2009287198.tif 000003
【図２】
2009287198.tif 000004
【図３】
2009287198.tif 000005
【図４】
2009287198.tif 000006
【図５】
2009287198.tif 000007
【図６】
2009287198.tif 000008
【図７】
2009287198.tif 000009
【図８】
2009287198.tif 000010
【図９】
2009287198.tif 000011
【図１０】
2009287198.tif 000012
【図１１】
2009287198.tif 000013
【図１２】
2009287198.tif 000014
【図１３】
2009287198.tif 000015
【図１４】
2009287198.tif 000016
【図１５】
2009287198.tif 000017
【図１６】
2009287198.tif 000018
【図１７】
2009287198.tif 000019
【図１８】
2009287198.tif 000020
【図１９】
2009287198.tif 000021
【図２０】
2009287198.tif 000022
【図２１】
2009287198.tif 000023
【図２２】
2009287198.tif 000024
【図２３】
2009287198.tif 000025
【図２４】
2009287198.tif 000026